(57)【要約】【課題】採取された血液成分（血液）の細菌汚染を防止し、安全性を向上することができ、かつ、採取された血液の初流（採血初流）への抗凝固剤の混入を防止することができる血液成分採取装置を提供すること。【解決手段】血液成分採取装置１は、血液成分採取回路２を有し、血液成分採取回路２は、抗凝固剤を注入する抗凝固剤注入ライン２３と、ドナーから採取された血液の初流（採血初流）を採取する初流採取ライン２７とを有している。プライミング動作および初流採取操作の実行後、クレンメ９３を開いた際、制御手段５５の制御により、圧力センサ１８の検出値に基づいて、血液ポンプ１１を作動させて中空針側ライン２１ａ内の圧力調整（第２の圧力調整）を行って、空気層を目標位置（例えば、クレンメ９３を開く前の位置）に位置させるように構成されている。【選択図】図１
2008125552.tif 000002
【特許請求の範囲】
【請求項１】
供血者から血液を採取する採血針を備えた採血手段と、
前記採血手段により採取された血液を分離する血液分離器と、
前記血液分離器により分離された所定の血液成分を採取する血液成分採取バッグと、
前記採血針と前記血液分離器の流入口とを接続する血液処理ラインと、
前記血液処理ラインに設けられた第１の分岐部から分岐し、抗凝固剤を注入する抗凝固剤注入ラインと、
前記血液処理ラインの前記採血針と前記第１の分岐部との間に設けられた第２の分岐部から分岐し、前記供血者から採取した血液の初流を採取する初流採取ラインとを有する血液成分採取回路と、
前記第１の分岐部と前記第２の分岐部との間の前記血液処理ラインの流路を開閉する流路開閉手段と、
前記血液処理ラインに設置され、前記血液処理ライン内の液体を送液する第１の送液手段と、
前記抗凝固剤注入ラインに設置され、前記抗凝固剤注入ライン内の液体を送液する第２の送液手段と、
前記流路開閉手段から前記血液分離器側の前記血液処理ライン内の圧力を検出する圧力検出手段とを備え、
前記所定の血液成分の採取に先立って、前記初流採取ラインを通して前記供血者から採取した血液の初流を採取する初流採取操作を実行し、この後、供血者から採取した血液を分離して、前記所定の血液成分を採取する血液成分採取装置であって、
前記流路開閉手段により前記流路を閉塞した状態で、少なくとも前記第２の送液手段を作動させて、前記抗凝固剤注入ラインから前記第１の分岐部を経て前記血液処理ラインの前記血液分離器側に向けて抗凝固剤を供給するプライミング動作と、前記初流採取ラインを通して前記供血者から採取した血液の初流を採取する初流採取操作とを実行した後に、前記血液処理ラインの流路内の抗凝固剤と血液との間に空気が介在するように構成されており、
前記圧力検出手段の検出結果に基づいて、前記プライミング動作および前記初流採取操作の実行後、前記流路開閉手段により前記流路を開放した際、前記空気が移動したか否かを推定するように構成されていることを特徴とする血液成分採取装置。
【請求項２】
前記プライミング動作と前記初流採取操作とを実行し、前記流路開閉手段により前記流路を開放した後に、前記第２の送液手段を作動させて、前記抗凝固剤注入ラインから前記第１の分岐部および前記第２の分岐部を経て前記初流採取ラインに向けて抗凝固剤を供給する抗凝固剤送液動作を実行して、前記空気を前記血液処理ラインから前記初流採取ラインに移送するように構成されている請求項１に記載の血液成分採取装置。
【請求項３】
前記プライミング動作および前記初流採取操作の実行後、前記流路開閉手段により前記流路を開放した際、前記圧力検出手段により検出された圧力が、減少して、所定のしきい値以下になった場合は、その圧力の変動により、前記抗凝固剤注入ラインから前記第１の分岐部および前記第２の分岐部を経て前記初流採取ラインに向けて抗凝固剤が供給され、前記空気が前記血液処理ラインから前記初流採取ラインに移送されたものと推定し、前記抗凝固剤送液動作を行わないように構成されている請求項２に記載の血液成分採取装置。
【請求項４】
前記プライミング動作および前記初流採取操作の実行後、前記流路開閉手段により前記流路を開放した際、前記圧力検出手段の検出結果に基づいて、前記第１の送液手段を作動させて前記血液処理ライン内の圧力調整を行って、前記空気を目標位置に位置させるように構成されている請求項１または２に記載の血液成分採取装置。
【請求項５】
前記プライミング動作および前記初流採取操作の実行後、前記流路開閉手段により前記流路を開放した際、前記空気が移動したことが推定された場合、該空気が移動した旨を報知する報知手段を有する請求項１または２に記載の血液成分採取装置。
【請求項６】
前記報知手段は、前記空気の移動方向に応じた対処方法を報知するように構成されている請求項５に記載の血液成分採取装置。
【請求項７】
前記プライミング動作を実行した後、前記圧力検出手段により検出された圧力が目標範囲内の値となるように、前記第１の送液手段と前記第２の送液手段とのうちの少なくとも一方を作動させて前記血液処理ライン内の圧力調整を行うように構成されている請求項１ないし６のいずれかに記載の血液成分採取装置。
【請求項８】
前記プライミング動作では、前記抗凝固剤注入ライン内の液体が前記第１の分岐部側に向って移送されるように前記第２の送液手段を作動させるとともに、前記血液処理ライン内の液体が前記血液分離器側に向って移送されるように前記第１の送液手段を作動させ、
前記プライミング動作を終了する際、前記圧力検出手段により検出された圧力が前記目標範囲の下限値より小さい場合は、前記第１の送液手段の作動を停止し、前記第２の送液手段の作動を継続して、前記血液処理ライン内の圧力を増大させ、前記圧力検出手段により検出された圧力が前記目標範囲の上限値より大きい場合は、前記第２の送液手段の作動を停止し、前記第１の送液手段の作動を継続して、前記血液処理ライン内の圧力を減少させて、前記圧力検出手段により検出された圧力が前記目標範囲内の値となるように前記血液処理ライン内の圧力調整を行うように構成されている請求項７に記載の血液成分採取装置。
【請求項９】
前記血液成分採取回路は、前記初流採取ラインに接続され、前記血液の初流を採取する初流採取バッグを有する請求項１ないし８のいずれかに記載の血液成分採取装置。
【請求項１０】
前記流路開閉手段は、手作業でその開閉操作がなされるクレンメである請求項１ないし９のいずれかに記載の血液成分採取装置。
【発明の詳細な説明】
【技術分野】
【０００１】
本発明は、血液成分採取装置に関するものである。
【背景技術】
【０００２】
成分採血は、ドナー（供血者）から採取した血液（全血）を遠心分離や膜分離により血液成分に分離し、必要な血液成分を採取して残りの血液成分をドナーに返血する手技である。遠心分離方式、特に遠心ボウル方式での成分採血の場合、ドナーへの侵襲を減少させるために、採血針を１本にして採血工程と返血工程とを交互に繰り返す方式が採用されている。
【０００３】
通常の成分採血においては、アルコール消毒等を行うが、それでも、皮膚上や皮下に存在する細菌が、血液成分とともに血液成分採取バッグの中に混入することがある。
【０００４】
細菌の種類にもよるが、混入した細菌は、血液成分が収納された血液成分採取バッグを冷蔵する間にも増殖し、そのことに気づかずにこの血液成分が輸血に供されると、輸血された患者に、感染症、敗血症が発症することがある。
【０００５】
これらの細菌は皮膚表面のみならず、皮下に棲む場合も多いことから、採血の直前に、念入りに採血針の穿刺部位を消毒するだけでは採取された血液への細菌の侵入を避けることは困難である。
【０００６】
ここで経験的に、細菌は、採取された血液の初流（採血初流）に（多くは皮膚のかけらとともに）侵入することが判っている。
【０００７】
そこで、採血初流を除去するために、血液成分採取装置の血液成分採取回路に、その採血針と血液分離器の流入口とを接続する血液処理ラインに設けられた分岐部から分岐し、採血初流を採取する初流採取ラインを設けた血液成分採取装置が提案されている（例えば、特許文献１参照）。すなわち、この血液成分採取装置の血液成分採取回路は、血液処理ラインに設けられた第１の分岐部から分岐し、抗凝固剤を注入する抗凝固剤注入ラインと、血液処理ラインの採血針と前記第１の分岐部との間に設けられた第２の分岐部から分岐し、ドナーから採取した血液の初流を採取する初流採取ラインとを有しており、第１の分岐部と第２の分岐部との間の血液処理ラインの流路を開閉する流路開閉手段が設けられている。
【０００８】
【特許文献１】特開２００５−１９９０５５号公報
【発明の開示】
【発明が解決しようとする課題】
【０００９】
ところで、採血初流を除去するのに先立って、血液処理ラインを抗凝固剤でプライミングする場合、採血初流を除去する際に、採血初流と抗凝固剤とが接触し、採血初流に抗凝固剤が混入してしまう。採血初流に抗凝固剤が混入してしまうと、その採血初流は、検査に使用することができなくなる。採血針が穿刺されたドナーの腕と、初流採取ラインに接続されている初流採取バッグとの位置関係等によっては、前記初流採取操作の実行後、前記流路開閉手段を開放した際に、第１の分岐部と第２の分岐部との間に位置していた空気が、血液分離器側（第１の分岐部側）または初流採取バッグ側（初流採取ライン側）（第２の分岐部側）に移動し、下記のような問題が生じる可能性がある。
【００１０】
（１）  空気が血液分離器側に移動した場合
空気が第１の分岐部側に移動し、第１の分岐部を経て、第１の分岐部より血液分離器側の血液処理ラインに移動すると、前記抗凝固剤送液動作の際、第１の分岐部において、採血初流と抗凝固剤とが接触し、その抗凝固剤が、採血初流内に拡散してゆき、採血初流とともに、初流採取バッグ内に導入される（混入する）虞がある。このため、初流採取バッグに採取された採血初流は、検査に使用することができなくなる。
【００１１】
また、空気が第１の分岐部より血液分離器側の血液処理ラインに移動すると、本採血の際、採取された血液成分内に、採血初流が混入する虞がある。
【００１２】
（２）  空気が初流採取バッグ側に移動した場合
空気が第２の分岐部側に移動し、第２の分岐部を経て、初流採取ライン（初流採取バッグ側）に移動すると、前記抗凝固剤送液動作の際、抗凝固剤送液の供給量（送液量）が多すぎて、抗凝固剤が初流採取バッグ内に導入される（混入する）虞がある。このため、初流採取バッグに採取された採血初流は、検査に使用することができなくなる。
【００１３】
本発明の目的は、採取された血液成分（血液）の細菌汚染を防止し、安全性を向上することができ、かつ、採取された血液の初流（採血初流）への抗凝固剤の混入を防止することができる血液成分採取装置を提供することにある。
【課題を解決するための手段】
【００１４】
このような目的は、下記（１）〜（１４）の本発明により達成される。
（１）  供血者から血液を採取する採血針を備えた採血手段と、
前記採血手段により採取された血液を分離する血液分離器と、
前記血液分離器により分離された所定の血液成分を採取する血液成分採取バッグと、
前記採血針と前記血液分離器の流入口とを接続する血液処理ラインと、
前記血液処理ラインに設けられた第１の分岐部から分岐し、抗凝固剤を注入する抗凝固剤注入ラインと、
前記血液処理ラインの前記採血針と前記第１の分岐部との間に設けられた第２の分岐部から分岐し、前記供血者から採取した血液の初流を採取する初流採取ラインとを有する血液成分採取回路と、
前記第１の分岐部と前記第２の分岐部との間の前記血液処理ラインの流路を開閉する流路開閉手段と、
前記血液処理ラインに設置され、前記血液処理ライン内の液体を送液する第１の送液手段と、
前記抗凝固剤注入ラインに設置され、前記抗凝固剤注入ライン内の液体を送液する第２の送液手段と、
前記流路開閉手段から前記血液分離器側の前記血液処理ライン内の圧力を検出する圧力検出手段とを備え、
前記所定の血液成分の採取に先立って、前記初流採取ラインを通して前記供血者から採取した血液の初流を採取する初流採取操作を実行し、この後、供血者から採取した血液を分離して、前記所定の血液成分を採取する血液成分採取装置であって、
前記流路開閉手段により前記流路を閉塞した状態で、少なくとも前記第２の送液手段を作動させて、前記抗凝固剤注入ラインから前記第１の分岐部を経て前記血液処理ラインの前記血液分離器側に向けて抗凝固剤を供給するプライミング動作と、前記初流採取ラインを通して前記供血者から採取した血液の初流を採取する初流採取操作とを実行した後に、前記血液処理ラインの流路内の抗凝固剤と血液との間に空気が介在するように構成されており、
前記圧力検出手段の検出結果に基づいて、前記プライミング動作および前記初流採取操作の実行後、前記流路開閉手段により前記流路を開放した際、前記空気が移動したか否かを推定するように構成されていることを特徴とする血液成分採取装置。
【００１５】
（２）  前記プライミング動作と前記初流採取操作とを実行し、前記流路開閉手段により前記流路を開放した後に、前記第２の送液手段を作動させて、前記抗凝固剤注入ラインから前記第１の分岐部および前記第２の分岐部を経て前記初流採取ラインに向けて抗凝固剤を供給する抗凝固剤送液動作を実行して、前記空気を前記血液処理ラインから前記初流採取ラインに移送するように構成されている上記（１）に記載の血液成分採取装置。
【００１６】
（３）  前記プライミング動作および前記初流採取操作の実行後、前記流路開閉手段により前記流路を開放した際、前記圧力検出手段により検出された圧力が、減少して、所定のしきい値以下になった場合は、その圧力の変動により、前記抗凝固剤注入ラインから前記第１の分岐部および前記第２の分岐部を経て前記初流採取ラインに向けて抗凝固剤が供給され、前記空気が前記血液処理ラインから前記初流採取ラインに移送されたものと推定し、前記抗凝固剤送液動作を行わないように構成されている上記（２）に記載の血液成分採取装置。
【００１７】
（４）  前記プライミング動作および前記初流採取操作の実行後、前記流路開閉手段により前記流路を開放した際、前記圧力検出手段の検出結果に基づいて、前記第１の送液手段を作動させて前記血液処理ライン内の圧力調整を行って、前記空気を目標位置に位置させるように構成されている上記（１）または（２）に記載の血液成分採取装置。
【００１８】
（５）  前記プライミング動作および前記初流採取操作の実行後、前記流路開閉手段により前記流路を開放した際、前記空気が移動したことが推定された場合、該空気が移動した旨を報知する報知手段を有する上記（１）または（２）に記載の血液成分採取装置。
【００１９】
（６）  前記報知手段は、前記空気の移動方向に応じた対処方法を報知するように構成されている上記（５）に記載の血液成分採取装置。
【００２０】
（７）  前記プライミング動作を実行した後、前記圧力検出手段により検出された圧力が目標範囲内の値となるように、前記第１の送液手段と前記第２の送液手段とのうちの少なくとも一方を作動させて前記血液処理ライン内の圧力調整を行うように構成されている上記（１）ないし（６）のいずれかに記載の血液成分採取装置。
【００２１】
（８）  前記プライミング動作では、前記抗凝固剤注入ライン内の液体が前記第１の分岐部側に向って移送されるように前記第２の送液手段を作動させるとともに、前記血液処理ライン内の液体が前記血液分離器側に向って移送されるように前記第１の送液手段を作動させ、
前記プライミング動作を終了する際、前記圧力検出手段により検出された圧力が前記目標範囲の下限値より小さい場合は、前記第１の送液手段の作動を停止し、前記第２の送液手段の作動を継続して、前記血液処理ライン内の圧力を増大させ、前記圧力検出手段により検出された圧力が前記目標範囲の上限値より大きい場合は、前記第２の送液手段の作動を停止し、前記第１の送液手段の作動を継続して、前記血液処理ライン内の圧力を減少させて、前記圧力検出手段により検出された圧力が前記目標範囲内の値となるように前記血液処理ライン内の圧力調整を行うように構成されている上記（７）に記載の血液成分採取装置。
【００２２】
（９）  前記プライミング動作を実行した後、前記圧力検出手段により検出された圧力が目標範囲内の値となるように、前記第１の送液手段と前記第２の送液手段とのうちの少なくとも一方を作動させて前記血液処理ライン内の第１の圧力調整を行うように構成されている上記（１）または（２）に記載の血液成分採取装置。
【００２３】
（１０）  前記プライミング動作では、前記抗凝固剤注入ライン内の液体が前記第１の分岐部側に向って移送されるように前記第２の送液手段を作動させるとともに、前記血液処理ライン内の液体が前記血液分離器側に向って移送されるように前記第１の送液手段を作動させ、
前記プライミング動作を終了する際、前記圧力検出手段により検出された圧力が前記目標範囲の下限値より小さい場合は、前記第１の送液手段の作動を停止し、前記第２の送液手段の作動を継続して、前記血液処理ライン内の圧力を増大させ、前記圧力検出手段により検出された圧力が前記目標範囲の上限値より大きい場合は、前記第２の送液手段の作動を停止し、前記第１の送液手段の作動を継続して、前記血液処理ライン内の圧力を減少させて、前記圧力検出手段により検出された圧力が前記目標範囲内の値となるように、前記血液処理ライン内の第１の圧力調整を行うように構成されている上記（９）に記載の血液成分採取装置。
【００２４】
（１１）  前記第１の圧力調整後の圧力を目標値として、該目標値に対して許容範囲を設定し、
前記プライミング動作および前記初流採取操作の実行後、前記流路開閉手段により前記流路を開放した際、前記圧力検出手段により検出された圧力が前記許容範囲内の値となるように、前記第１の送液手段を作動させて前記血液処理ライン内の第２の圧力調整を行って、前記空気を目標位置に位置させるように構成されている上記（９）または（１０）に記載の血液成分採取装置。
【００２５】
（１２）  前記血液成分採取回路は、前記初流採取ラインに接続され、前記血液の初流を採取する初流採取バッグを有する上記（１）ないし（１１）のいずれかに記載の血液成分採取装置。
【００２６】
（１３）  前記流路開閉手段は、手作業でその開閉操作がなされるクレンメである上記（１）ないし（１２）のいずれかに記載の血液成分採取装置。
【００２７】
（１４）  当該血液成分採取装置は、供血者から採取した血液を分離し、前記所定の血液成分を採取する血液成分採取工程と、残りの血液成分を供血者に返還する血液成分返還工程とを有する血液成分採取操作を少なくとも１サイクル実行するものである上記（１）ないし（１３）のいずれかに記載の血液成分採取装置。
【発明の効果】
【００２８】
本発明によれば、初流採取ラインを有しているので、採血の際、容易に、ドナー（供血者）から採取された血液から、細菌感染の確率の高い初流（採血初流）を採取（除去）することができ、これにより、採取された血液やその採取された血液から分離された各血液成分への細菌の混入が抑制され、安全性が向上する。
【００２９】
また、プライミング動作と初流採取操作とを実行した後に、血液処理ラインの流路内の採血初流（血液）と抗凝固剤との間に、空気（空気層）が形成される（空気が介在する）ので、この空気により採血初流と抗凝固剤との接触が阻止され、採血初流への抗凝固剤の混入を防止することができ、これによって、採取された採血初流を検査用の血液として用いることができる。さらに、前記空気により採血初流と抗凝固剤との接触が阻止され、抗凝固剤への採血初流の混入を防止することができ、これによって、血液成分採取バッグに採取される血液成分に細菌が混入するのを防止することができる。
【００３０】
そして、特に、圧力検出手段の検出結果に基づいて、プライミング動作および初流採取操作の実行後、流路開閉手段により第１の分岐部と第２の分岐部との間の血液処理ラインの流路を開放した際、前記空気が移動したか否かを推定（検知）するように構成されているので、その空気の移動に対して、適切な処理や操作（例えば、血液処理ライン内の圧力調整により、前記空気を目標位置に位置させること等）を行うことができる。
【００３１】
これにより、採取された採血初流への抗凝固剤の混入を防止することができ、これによって、採取された採血初流を検査用の血液として用いることができる。さらに、採取された血液やその採取された血液から分離された各血液成分への採血初流の混入を防止することができ、これによって、採取された血液やその採取された血液から分離された各血液成分への細菌の混入が抑制され、安全性が向上する。
【００３２】
また、プライミング動作と初流採取操作とを実行した後に、抗凝固剤送液動作を実行して、前記空気を血液処理ラインから初流採取ラインに移送するように構成されている場合には、初流採取ラインおよび血液処理ライン（採血ライン）における第２の分岐部（初流採取ラインの分岐部）に、抗凝固剤を含まない血液が停滞し、その血液が凝固してしまうのを防止することができ、ドナーの負担を増大させることなく、安全かつ確実に、成分採血を行うことができる。
【発明を実施するための最良の形態】
【００３３】
以下、本発明の血液成分採取装置を添付図面に示す好適な実施形態に基づいて詳細に説明する。
【００３４】
＜第１実施形態＞
図１は、本発明の血液成分採取装置を、主に血漿を採取する血液成分採取装置に適用した場合の第１実施形態を示す平面図（一部にブロック図を含む）、図２は、図１に示す血液成分採取装置が備える遠心分離器に遠心分離器駆動装置が装着された状態の部分破断断面図である。
【００３５】
図１に示す血液成分採取装置（血漿採取装置）１は、ドナー（供血者）の血管に穿刺される中空針（採血針）（ドナーから血液を採取する採血手段）２９１と、採取された血液を貯血空間１４６内にて遠心分離する遠心分離器（遠心ボウル）（血液分離器）２０と、遠心分離器２０により分離された血漿（血液成分）を採取する血漿採取バッグ（血液成分採取バッグ）２５とを備える血液成分採取回路（血液処理回路）２を有し、ドナーから採取した血液を遠心分離し、所定量の血漿を採取した後、残りの血漿とともに白血球、血小板および赤血球（残りの血液成分）をドナーに返還（返血）する装置である。
【００３６】
血液成分採取装置１は、中空針２９１と、採血ラインおよび返血ラインの双方として兼用される採血・返血ライン（血液処理ライン）２１と、遠心分離器２０と、遠心分離器２０の流出口１４４に接続された採取バッグ側ライン２２と、採血・返血ライン２１の途中に接続された抗凝固剤注入ライン２３および初流採取ライン２７と、採取バッグ側ライン２２の途中に接続され、この採取バッグ側ライン２２を介して遠心分離器２０の流出口１４４に連通するエアーバッグ側ライン２４と、採取バッグ側ライン２２と接続された血漿採取バッグ（血液成分採取バッグ）２５と、血漿採取バッグ２５とチューブ（流路）３２ａにより接続されたサブバッグ３２と、エアーバッグ側ライン２４と接続されたエアーバッグ２６と、初流採取ライン２７と接続された初流採取バッグ８１とを備える血液成分採取回路２を有している。
【００３７】
また、血液成分採取装置１は、遠心分離器２０のローター１４２を回転させるための遠心分離器駆動装置１０と、採血・返血ライン２１内の血液または血液成分（液体）を送液する血液ポンプ（送液ポンプ）（第１の送液手段）１１と、抗凝固剤注入ライン２３内の抗凝固剤（液体）を送液する抗凝固剤ポンプ（送液ポンプ）（第２の送液手段）１２と、血液成分採取回路２の流路の開閉を行うための流路開閉手段５１および流路開閉手段５２と、遠心分離器駆動装置１０、血液ポンプ１１、抗凝固剤ポンプ１２、流路開閉手段５１および流路開閉手段５２等を制御するための制御手段５５と、濁度センサ１４と、光学式センサ１５と、重量センサ１６と、第１の気泡センサ１７と、第２の気泡センサ３４と、第３の気泡センサ３５と、第４の気泡センサ３６と、第５の気泡センサ３７と、タッチパネル１９とを備えている。
【００３８】
なお、血液ポンプ１１を図１中時計回り（正方向）に回転（正転）させると、採血・返血ライン２１内の血液または血液成分（液体）は、遠心分離器２０側に向って移送され、図１中反時計回り（逆方向）に回転（逆転）させると、採血・返血ライン２１内の血液または血液成分（液体）は、中空針２９１側に向って移送される。
【００３９】
また、抗凝固剤ポンプ１２を図１中反時計回り（正方向）に回転（正転）させると、抗凝固剤注入ライン２３内の抗凝固剤（液体）は、分岐コネクタ２１ｃ側に向って移送される。
【００４０】
以下、各部の構成について説明する。
中空針２９１は、採血・返血ライン２１の一端に接続されており、中空針２９１の基端側には、翼２９２が設けられている。図１中では、中空針２９１には、キャップが被せられている。
【００４１】
採血・返血ライン２１は、中空針２９１が一端に接続された中空針側ライン２１ａと、遠心分離器２０の流入口１４３とを接続された遠心分離器側ライン２１ｂと、これらの間に配置されたポンプチューブ２１ｇとを有している。
【００４２】
中空針側ライン２１ａは、気泡およびマイクロアグリゲート除去のためのチャンバー２１ｄを備える。
【００４３】
チャンバー２１ｄには、チューブ（流路）２１ｈを介して通気性かつ菌不透過性のフィルター２１ｉが接続されている。このラインは、中空針側ライン２１ａの内圧（血液ポンプ１１より中空針２９１側の採血・返血ライン２１の内圧）、すなわちドナー圧（ドナー圧力）を検出する圧力センサ１８に接続される。この圧力センサ１８により、後述するクレンメ９３から遠心分離器２０側（血液ポンプ１１側）の採血・返血ライン２１内の圧力を検出する圧力検出手段が構成される。
【００４４】
採取バッグ側ライン２２は、一端が遠心分離器２０の流出口１４４に接続され、他端が血漿採取バッグ２５に接続されている。この採取バッグ側ライン２２の途中には、３つ（３股）に分岐した（接続口は合計４つ）分岐コネクタ６１が設けられており、採取バッグ側ライン２２は、この分岐コネクタ６１を介して接続されている。
【００４５】
分岐コネクタ６１には、チューブ（流路）６２を介して通気性かつ菌不透過性のフィルター６３が接続されている。このラインは、例えば、遠心分離器２０の内圧（システム圧力）の検出等に用いることができる。
【００４６】
抗凝固剤注入ライン２３は、その一端が採血・返血ライン２１に設けられた分岐コネクタ２１ｃに接続されている。すなわち、抗凝固剤注入ライン（流路）２３は、分岐コネクタ（第１の分岐部）２１ｃから分岐、すなわち、分岐コネクタ２１ｃを介して採血・返血ライン（流路）２１から分岐している。また、分岐コネクタ２１ｃは、中空針２９１の近傍に位置している（設けられている）。この抗凝固剤注入ライン２３は、分岐コネクタ２１ｃ側より、ポンプチューブ２３ａ、除菌フィルター（輸液フィルター）６４、気泡除去用チャンバー２３ｃ、抗凝固剤容器接続用針２３ｄを備えている。図１中では、抗凝固剤容器接続用針２３ｄにキャップが被せられている。
【００４７】
この抗凝固剤注入ライン２３の抗凝固剤容器接続用針２３ｄは、抗凝固剤（抗凝固剤液）が収納（収容）された図示しない容器（バッグ）に接続され、これにより、容器内の抗凝固剤は、後述するように、抗凝固剤容器接続用針２３ｄから分岐コネクタ２１ｃに向かって抗凝固剤注入ライン２３を流れ、中空針側ライン２１ａに供給（注入）される。これにより、例えば、抗凝固剤注入ライン２３を介して、中空針２９１により採取された血液に抗凝固剤を添加（混合）することができる。
【００４８】
なお、抗凝固剤としては、特に限定されないが、例えば、ＡＣＤ−Ａ液等を用いることができる。
【００４９】
初流採取ライン２７は、その一端が採血・返血ライン２１に設けられた分岐コネクタ２１ｅに接続されている。すなわち、初流採取ライン（流路）２７は、分岐コネクタ（第２の分岐部）２１ｅから分岐、すなわち、分岐コネクタ２１ｅを介して採血・返血ライン（流路）２１から分岐している。また、分岐コネクタ２１ｅは、中空針２９１と、分岐コネクタ２１ｃとの間に位置している（設けられている）。
【００５０】
初流採取バッグ８１は、ドナーから中空針２９１により採取した血液の初流（採血初流）を採取する（貯留）するための容器である。前記初流採取ライン２７の他端は、この初流採取バッグ８１に接続されている。
【００５１】
初流採取バッグ８１の容量は、特に限定されないが、１０〜１００ｍＬ程度であるのが好ましく、２５〜５０ｍＬ程度であるのがより好ましい。
【００５２】
初流採取バッグ８１の容量が前記範囲未満であると、ドナーから中空針２９１により採取された血液の初流（採血初流）を十分に除去（採取）することができないことがあり、前記範囲を超えると、ドナーから採取される血液量が多くなりドナーの負担が増えてしまう。
【００５３】
また、初流採取バッグ８１の、初流採取ライン２７の接続部と反対側には、針管８３が接続されている。
【００５４】
針管８３の周囲には、針管８３を被包する被包部材８４が設置されている。この被包部材８４としては、例えば、各種ゴム材料（弾性材料）による膜で構成され、針管８３の針先により容易に刺通可能なものが好適に使用される。
【００５５】
また、針管８３の基端側には、キャップ８６を有するホルダー８５が着脱自在に装着され、これにより、針管８３がホルダー８５内に収納される。
【００５６】
また、初流採取ライン２７の途中、中空針側ライン２１ａの中空針２９１と分岐コネクタ２１ｅとの間、中空針側ライン２１ａの分岐コネクタ２１ｅと分岐コネクタ２１ｃとの間には、それぞれ、ライン（流路）の途中を開閉し、手作業でその開閉操作がなされるクレンメ（流路開閉手段）９１、９２および９３が設けられる。クレンメ９１は、初流採取ライン２７の流路（チューブ内の流路）を開閉するために設けられている。また、クレンメ９２は、中空針２９１と分岐コネクタ２１ｅとの間において中空針針ライン２１ａの流路（チューブ内の流路）を開閉するために設けられている。また、クレンメ９３は、分岐コネクタ２１ｅと分岐コネクタ２１ｃとの間において中空針側ライン２１ａの流路（チューブ内の流路）を開閉するために設けられている。
【００５７】
ここで、クレンメ９１は、成分採血の際、一度閉じると、再度開くことはないので、そのクレンメ９１としては、一度閉じると、開かない（開き難い）構造のクレンメ（流路閉塞手段）、例えば、シャッタークレンメを用いるのが好ましい。このため、本実施形態では、クレンメ９１として、シャッタークレンメが用いられている。
【００５８】
なお、クレンメ９１、９２および９３に代えて、それぞれ、例えば、鉗子等を用いてもよく、また、後述する流路開閉手段５１や流路開閉手段５２のように、ラインもしくはチューブの挿入部を備え、その挿入部に駆動源で作動するクランプを有するもの等を用いてもよい。
【００５９】
クレンメ９１および９２を開き、クレンメ９３を閉じた状態において、ドナーから中空針２９１により採取された血液の初流は、ドナーの静脈圧や落差（自重）により、その中空針２９１から、中空針側ライン２１ａ、分岐コネクタ２１ｅ、初流採取ライン２７を流れ、初流採取バッグ８１内に導入（採取）される。すなわち、ドナーから中空針２９１により採取された血液の初流（採血初流）は、分岐コネクタ２１ｅおよび初流採取ライン２７を介して、中空針側ライン２１ａから除去され、初流採取バッグ８１内に採取される。このようにして、容易に、細菌感染の確率の高い、採取された血液の初流を除去（採取）することができ、これにより、採取された血液から分離された血漿（血液成分）への細菌の混入が抑制され、安全性が向上する。
【００６０】
また、初流採取バッグ８１内に収納されている血液を、例えば、図示しないゴム栓を有する減圧採血管内に回収（サンプリング）することができる。
【００６１】
この場合、クレンメ９１を閉じてからホルダー８５のキャップ８６を外し、減圧採血管をそのゴム栓側からホルダー８５に挿入して、ホルダー８５の最奥部まで押し込み、針管８３をゴム栓に穿刺し、貫通させる。これにより、初流採取バッグ８１内に収納されている血液は、減圧採血管内に吸引され、回収される。この減圧採血管への血液のサンプリング終了後、減圧採血管をホルダー８５から引き抜く。複数本の減圧採血管へ血液のサンプリングを行う場合には、前述した操作を繰り返す。
【００６２】
減圧採血管内に回収された血液は、例えば、血清の生化学検査、感染症ウィルス（例えば、エイズ、肝炎等）の抗体検査等に用いることができる。
【００６３】
エアーバッグ側ライン２４は、分岐コネクタ６１に接続されている。すなわち、エアーバッグ２６は、このエアーバッグ側ライン２４を介して採取バッグ側ライン２２から分岐して設けられている。
【００６４】
血液ポンプ１１、抗凝固剤ポンプ１２は、それぞれ、ポンプチューブ２１ｇ、２３ａを複数のローラーにより押圧閉塞しつつ回転するローターを有するローラーポンプ（チューブポンプ）で構成されている。
【００６５】
採血・返血ライン２１、採取バッグ側ライン２２、抗凝固剤注入ライン２３、エアーバッグ側ライン２４および初流採取ライン２７の形成に使用されるチューブ、各ポンプチューブ２１ｇ、２３ａ、サブバッグ３２に接続されているチューブ３２ａ、チャンバー２１ｄに接続されているチューブ２１ｈ、分岐コネクタ６１に接続されているチューブ６２の構成材料としては、ポリ塩化ビニルが好ましい。
【００６６】
各チューブがポリ塩化ビニル製であれば、十分な可撓性、柔軟性が得られるので取り扱いがし易く、また、クレンメ等による閉塞にも適するからである。
【００６７】
なお、各ポンプチューブ２１ｇ、２３ａとしては、ローラーポンプにより押圧されても損傷を受けない程度の強度を備えるものが使用されている。
【００６８】
また、上述した分岐コネクタ２１ｃ、２１ｅ、６１の構成材料についても、前記チューブの構成材料と同様のものを用いることができる。
【００６９】
血漿採取バッグ２５は、血漿を採取するための容器であり、採取バッグ側ライン２２を介して、遠心分離器２０に接続され、これにより、血漿採取バッグ２５の内部は、ローター１４２の貯血空間１４６に連通している。
【００７０】
サブバッグ３２は、チューブ３２ａを介して血漿採取バッグ２５に接続され、それらの内部同士が連通している。このサブバッグ３２は、例えば、血漿保存バッグ等に用いることができる。
【００７１】
エアーバッグ２６は、一時的に空気（エアー）を収納（貯留）するための容器であり、エアーバッグ側ライン２４を介して、分岐コネクタ６１に接続されている。すなわち、エアーバッグ２６は、エアーバッグ側ライン２４、分岐コネクタ６１および採取バッグ側ライン２２を介して、遠心分離器２０に接続され、これにより、エアーバッグ２６の内部は、ローター１４２の貯血空間１４６に連通している。
【００７２】
これらの血漿採取バッグ２５、サブバッグ３２、エアーバッグ２６、初流採取バッグ８１は、それぞれ、樹脂製の可撓性を有するシート材を重ね、その周縁部を融着（熱融着、高周波融着等）または接着して袋状にしたものが使用される。
【００７３】
血漿採取バッグ２５、サブバッグ３２、エアーバッグ２６、初流採取バッグ８１に使用される材料としては、例えば、軟質ポリ塩化ビニルが好適に使用される。
【００７４】
血液成分採取回路２に設けられている遠心分離器２０は、通常、遠心ボウルと呼ばれており、遠心力により血液を血漿と血球（血小板、白血球および赤血球）とに分離する。遠心分離器２０としては、図２に示すものが使用される。
【００７５】
流路開閉手段５１は、エアーバッグ側ライン２４の流路の途中を開閉するために設けられている。
【００７６】
流路開閉手段５２は、分岐コネクタ６１より血漿採取バッグ２５側において採取バッグ側ライン２２の流路の途中を開閉するために設けられている。
【００７７】
流路開閉手段５１および流路開閉手段５２は、ラインもしくはチューブの挿入部を備え、挿入部には、例えば、ソレノイド、電動モーター、シリンダ（油圧または空気圧）等の駆動源で作動するクランプを有する。具体的には、ソレノイドで作動する電磁クランプが好適である。
【００７８】
遠心分離器駆動装置１０は、図２に示すように、遠心分離器２０を収納するハウジング２０１と、脚部２０２と、駆動源であるモータ２０３と、遠心分離器２０を保持する円盤状の固定台２０５とで構成されている。ハウジング２０１は、脚部２０２の上部に載置、固定されている。
【００７９】
また、ハウジング２０１の下面には、ボルト２０６によりスペーサー２０７を介してモータ２０３が固定されている。モータ２０３の回転軸２０４の先端部には、固定台２０５が回転軸２０４と同軸でかつ一体的に回転するように嵌入されており、固定台２０５の上部には、ローター１４２の底部が嵌合する凹部が形成されている。
【００８０】
また、遠心分離器２０の上部１４５は、図示しない固定部材により、ハウジング２０１に固定されている。遠心分離器駆動装置１０では、モータ２０３を駆動すると、固定台２０５およびそれに固定されたローター１４２が、あらかじめ設定された所定の遠心条件（例えば、回転数３０００〜６０００ｒｐｍ）で回転する。この遠心条件により、ローター１４２内の血液の分離パターン（例えば、分離する血液成分数）を設定することができる。
【００８１】
なお、ローター１４２において、貯血空間１４６の容積は、例えば、１００〜３５０ｍＬ程度とされる。
【００８２】
ハウジング２０１には、その側部（図２中、左側）に光学式センサ１５が設置されている。
【００８３】
この光学式センサ１５は、貯血空間１４６に向って投光するとともにその反射光を受光するように構成されている。
【００８４】
光学式センサ１５は、投光部１５１から光（例えばレーザー光）を照射（投光）し、ローター１４２の反射面１４７で反射された反射光を受光部１５２で受光する。そして、受光部１５２においてその受光光量に応じた電気信号に変換される。
【００８５】
ここで、光学式センサ１５は、片面に反射面を有し、光路を変更する反射板１５３を有しており、投光部１５１から照射された光は、反射板１５３を介して反射面１４７に照射され、反射面１４７で反射した光は、反射板１５３を介して受光部１５２で受光されるように構成されている。
【００８６】
このとき、投光光および反射光は、それぞれ、貯血空間１４６内の血液成分を透過するが、血液成分の界面（本実施形態では、血漿層１３１と血球層１３２との界面Ｂ）の位置に応じて、投光光および反射光が透過する位置における各血液成分の存在比が異なるため、それらの透過率が変化する。これにより、受光部１５２での受光光量が変動（変化）し、この変動を受光部１５２からの出力電圧の変化として検出することができる。
【００８７】
すなわち、光学式センサ１５は、受光部１５２での受光光量の変化に基づき、血液成分の界面の位置を検出することができる。
【００８８】
ここで、貯血空間１４６内の血漿層１３１と血球層１３２とは、それぞれ、血液成分により色が異なっており、血球層１３２は、赤血球の色に伴い赤色を呈している。このため、光学式センサ１５の精度向上の観点からは、投光光の波長に好適な範囲が存在し、この波長範囲としては、特に限定されないが、例えば、６００〜９００ｎｍ程度であるのが好ましく、７５０〜８００ｎｍ程度であるのがより好ましい。
【００８９】
重量センサ１６は、血漿採取バッグ２５内に採取された血漿の採取量を検出する検出手段を構成する。
【００９０】
濁度センサ１４は、採取バッグ側ライン２２中を流れる流体の濁度を検知するためのものであり、濁度に応じた電圧値を出力する。具体的には、濁度が高い時には低電圧値、濁度が低い時には高電圧値を出力する。
【００９１】
この濁度センサ１４により、例えば、採取バッグ側ライン２２中を流れる血漿中への血球の混入等を検出することができる。
【００９２】
第１の気泡センサ１７は、採血・返血ライン２１内に空気が流れたことを検知するためのものである。すなわち、この第１の気泡センサ１７により、採血・返血ライン２１内の血液の有無が検出される。
【００９３】
第４の気泡センサ３６および第５の気泡センサ３７は、それぞれ、気泡が通過したことを検知するためのものである。これらにより、ドナーに空気が注入されることを防止する。
【００９４】
第２の気泡センサ３４は、抗凝固剤注入ライン２３内が空になったことを検出するため、抗凝固剤注入ライン２３の所定の位置における空気（抗凝固剤の有無）の検出に用いられる。
【００９５】
第３の気泡センサ３５は、遠心分離器２０の貯血空間１４６の流出口１４４と分岐コネクタ６１との間の採取バッグ側ライン２２内に空気や血液（血漿）が流れたことを検知するためのものである。すなわち、この第３の気泡センサ３５により、採取バッグ側ライン２２内の血液の有無が検出される。
【００９６】
より詳細には、前記第１の気泡センサ１７、第２の気泡センサ３４、第３の気泡センサ３５、第４の気泡センサ３６および第５の気泡センサ３７は、それぞれ、チューブの外側から超音波を送受信し、液体と気泡（気体）とで超音波の伝導率が異なるのを利用して、チューブ内の気体および液体（気／液の別、気／液面等）を検出することができる検出手段である。なお、これら各気泡センサ（気体および液体検出手段）としては、上記超音波センサ（超音波式センサ）に限らず、例えば、光学式センサ、赤外線センサ等を用いてもよい。
【００９７】
また、前記濁度センサ１４としては、例えば、超音波センサ、光学式センサ、赤外線センサ等が使用できる。
【００９８】
制御手段５５は、例えば、マイクロコンピューター等で構成されており、遠心分離器駆動装置１０、血液ポンプ１１、抗凝固剤ポンプ１２、流路開閉手段５１、流路開閉手段５２、濁度センサ１４、光学式センサ１５、重量センサ１６、第１の気泡センサ１７、第２の気泡センサ３４、第３の気泡センサ３５、第４の気泡センサ３６、第５の気泡センサ３７、圧力センサ１８およびタッチパネル１９等と、それぞれ、電気的に接続されている。なお、この制御手段５５は、演算部とメモリー（いずれも図示せず）を内蔵している。
【００９９】
この制御手段５５により、圧力センサ１８の検出値（検出結果）に基づいて、後述するプライミング動作（プライミング工程）および初流採取操作（初流採取工程）の実行後、クレンメ（流路開閉手段）９３により分岐コネクタ２１ｃと分岐コネクタ２１ｅとの間の中空針側ライン２１ａ（採血・返血ライン２１）の流路を開放した際、抗凝固剤と採血初流（血液）との間の空気（空気層）が移動したか否か、その空気の移動方向、その空気の位置を推定（検知）する推定手段（検知手段）の主機能が達成（構成）される。
【０１００】
タッチパネル１９は、液晶表示パネル、ＥＬ表示パネル等を備えており、オペレーターの指示の入力を受け付ける入力手段（操作手段）としての機能と、各種の情報を表示（報知）する表示手段（報知手段）としての機能とを有するものである。なお、入力手段（例えば、操作ボタン、操作スイッチ、操作ダイヤル等）と、液晶表示パネル、ＥＬ表示パネル等の表示手段（報知手段）とを、別個に設けるようにしてもよい。
【０１０１】
濁度センサ１４、光学式センサ１５、重量センサ１６、第１の気泡センサ１７、第２の気泡センサ３４、第３の気泡センサ３５、第４の気泡センサ３６、第５の気泡センサ３７および圧力センサ１８からの検出信号は、それぞれ、制御手段５５へ随時入力される。また、タッチパネル１９からは、タッチパネル１９に入力されたオペレーターの指示内容に応じた信号が制御手段５５へ随時入力される。制御手段５５は、これらからの各信号に基づき、予め設定されたプログラムに従って、血液成分採取装置１の作動、すなわち、血液ポンプ１１、抗凝固剤ポンプ１２の回転、停止、あるいは、回転方向（正転／逆転）を制御するとともに、必要に応じ、各流路開閉手段５１、５２、５３の開閉および遠心分離器駆動装置１０の作動を制御する。
【０１０２】
このような制御手段５５は、ドナーから採取された血液を遠心分離器２０（貯血空間１４６）内に流入させ、遠心分離器２０により分離された血漿を血漿採取バッグ２５内に採取（移送）する血漿採取工程（血液成分採取工程）と、遠心分離器２０内に残った主として血球（残りの血液成分）をドナーへ返還（返血）する返血工程（血球返還工程）（血液成分返還工程）とを有する血漿採取操作（血液成分採取操作）を行うように、血液成分採取装置１の作動を制御する。この血漿採取操作は、少なくとも１回（１サイクル）、通常は、複数回（複数サイクル）行われる。
【０１０３】
以下、血液成分採取装置１の使用方法および作用について説明する。なお、第１サイクルの血漿採取操作（本採血）の前に行う各工程（操作）については、後に詳述する。
【０１０４】
オペレーター（操作者）は、後述する抗凝固剤送液工程（抗凝固剤送液動作）（抗凝固剤送液操作）が終了した後、クレンメ９２および９３が開いた状態、クレンメ９１が閉じた状態で、タッチパネル１９に表示された採血開始ボタン（採血開始スイッチ）を押す。これにより、制御手段５５によりプログラムが実行され、第１サイクルの血漿採取操作が開始される。血漿採取操作では、血液成分採取装置１は、まず、血漿採取工程を行う。
【０１０５】
血漿採取工程では、血液ポンプ１１を図１中時計回り（正方向）に回転（正転）させて、採血を開始する。同時に、流路開閉手段５１を開放し、流路開閉手段５２を閉塞して、採取バッグ側ライン２２およびエアーバッグ側ライン２４を介して、遠心分離器２０の貯血空間１４６内等の血液成分採取回路２内の空気（滅菌空気）を、エアーバッグ２６内に移送し、収納する。
【０１０６】
また、前記採血と同時に、抗凝固剤ポンプ１２を図１中反時計回り（正方向）に回転（正転）させて、抗凝固剤注入ライン２３を介して、例えばＡＣＤ−Ａ液のような抗凝固剤を供給し、この抗凝固剤を採血血液中に添加させる。
【０１０７】
これにより、血液（抗凝固剤添加血液）は、採血・返血ライン２１を介して移送され、遠心分離器２０の流入口１４３より管体１４１を経てローター１４２の貯血空間１４６内に導入される。
【０１０８】
このとき、遠心分離器２０の貯血空間１４６内の空気は、採取バッグ側ライン２２およびエアーバッグ側ライン２４を介して、エアーバッグ２６内に移送され、収納される。
【０１０９】
また、前記採血と同時にまたはこれと前後して、遠心分離器駆動装置１０を作動し、ローター１４２を所定の回転数で回転する。このローター１４２の回転により、貯血空間１４６内に導入された血液は、内側から血漿層（ＰＰＰ層）１３１と血球層１３２の２層に分離される。
【０１１０】
さらに、前記採血および前記抗凝固剤の供給を継続し、貯血空間１４６の容量を超える抗凝固剤添加血液が貯血空間１４６内に導入されると、貯血空間１４６内は完全に血液により満たされ、遠心分離器２０の流出口１４４から血漿がオーバーフローし、その血漿は、採取バッグ側ライン２２を流れる。
【０１１１】
次いで、第３の気泡センサ３５により、遠心分離器２０の貯血空間１４６から流出する血漿が検出されると、貯血空間１４６内の空気のエアーバッグ２６内への収納が完了する。
【０１１２】
次いで、流路開閉手段５１を閉塞し、流路開閉手段５２を開放し、採取バッグ側ライン２２を介して、遠心分離器２０の貯血空間１４６内の血漿を、血漿採取バッグ２５内に移送し、採取する。
【０１１３】
なお、血漿採取バッグ２５は、その重量が重量センサ１６により計測されており、計測された重量信号は制御手段５５に入力される。
【０１１４】
血漿採取を終了する場合は、血液ポンプ１１、抗凝固剤ポンプ１２の作動を停止するとともに、遠心分離器駆動装置１０の作動を停止して、遠心分離器２０のローター１４２の回転を停止する。
【０１１５】
以上で、血漿採取工程を終了し、血球返還工程（返血）に移行する。この血球返還工程では、血液成分採取回路２（主に、ローター１４２の貯血空間１４６）内に残った血液成分をドナーへ返還する。具体的には、まず、流路開閉手段５１を開放し、流路開閉手段５２を閉塞し、血液ポンプ１１を図１中反時計回り（逆方向）に回転（逆転）させる。
【０１１６】
これにより、ローター１４２の貯血空間１４６内の残りの血液成分は、遠心分離器側ライン２１ｂ、中空針側ライン２１ａおよび中空針２９１を介して、ドナーへ返還される。
【０１１７】
次いで、第１の気泡センサ１７によって空気が検出されると、この返血を終了し、次のサイクルの血漿採取操作の血漿採取工程に移行する。
【０１１８】
本サイクルが最終サイクルの場合には、第５の気泡センサ３７によって空気が検出されると、返血を終了する。これにより、血液成分採取回路２内の残りの血液成分が、ほぼ全てドナーへ返還され、血漿採取操作を終了する。
【０１１９】
さて、この血液成分採取装置１は、本採血、すなわち、第１サイクルの血漿採取工程（血漿採取バッグ２５への血漿（血液成分）の採取）に先立って、制御手段５５の制御により、血液ポンプ１１および抗凝固剤ポンプ１２を作動させて、抗凝固剤注入ライン２３から分岐コネクタ２１ｃを経て中空針側ライン２１ａ（採血・返血ライン２１）の遠心分離器２０側に向けて抗凝固剤を供給（送液）するプライミング動作と、初流採取ライン２７を通してドナーから採取した血液の初流（採血初流）を初流採取バッグ８１に採取する初流採取操作と、後述する抗凝固剤送液動作とを実行し、この後、本採血、すなわち、第１サイクルの血漿採取工程を実行するように構成されている。
【０１２０】
そして、前記プライミング動作と、前記初流採取操作とを実行した後に、分岐コネクタ２１ｅと分岐コネクタ２１ｃとの間の中空針側ライン２１ａの流路内の抗凝固剤と採血初流（血液）との間に空気（空気層）が介在するようになっており、制御手段５５は、圧力センサ１８の検出値（検出結果）に基づいて、これらプライミング動作および初流採取操作の実行後、クレンメ９３を開いて分岐コネクタ２１ｃと分岐コネクタ２１ｅとの間の中空針側ライン２１ａの流路を開放した際、前記空気（空気層）が移動したか否かを推定（検知）するように構成されていることに特徴を有する。また、制御手段５５は、圧力センサ１８の検出値（検出結果）に基づいて、その空気の移動方向および位置等も推定することができるようになっている。
【０１２１】
また、本実施形態では、プライミング動作および初流採取操作の実行後、クレンメ９３を開いて分岐コネクタ２１ｃと分岐コネクタ２１ｅとの間の中空針側ライン２１ａの流路を開放した際、制御手段５５の制御により、圧力センサ１８の検出値（検出結果）に基づいて、血液ポンプ１１を作動させて中空針側ライン２１ａ内の圧力調整（第２の圧力調整）を行って、空気層を目標位置（例えば、クレンメ９３を開く前の位置）に位置させるように構成されている。
【０１２２】
以下、図３〜図５に基づいて、本採血、すなわち、前述した第１サイクルの血漿採取操作の前の工程について説明する。
【０１２３】
図３〜図５は、図１に示す血液成分採取装置の作用を説明するためのフローチャート（制御手段５５の制御動作を示すフローチャート）である。この場合、図３は、プライミング工程（プライミング動作）（プライミング操作）における制御手段５５の制御動作を示すフローチャート、図４は、圧力監視工程における制御手段５５の制御動作を示すフローチャート、図５は、抗凝固剤送液工程（抗凝固剤送液動作）（抗凝固剤送液操作）における制御手段５５の制御動作を示すフローチャートである。
【０１２４】
まず、オペレーターは、抗凝固剤が収納された図示しない抗凝固剤バッグを抗凝固剤ライン２３に接続し、抗凝固剤を気泡除去用チャンバー（点滴筒）２３ｃの１／３程度まで満たし、その抗凝固剤バッグを図示しないハンガーに吊り下げる。また、クレンメ９１を開いた状態（クレンメ９１により初流採取ライン２７の流路を開放した状態）、クレンメ９２を閉じた状態（クレンメ９２により中空針２９１と分岐コネクタ２１ｅとの間の中空針側ライン２１ａの流路を閉塞した状態）、クレンメ９３を閉じた状態（クレンメ９３により分岐コネクタ２１ｅと分岐コネクタ２１ｃとの間の中空針側ライン２１ａの流路を閉塞した状態）とする。
【０１２５】
そして、オペレーターは、タッチパネル１９に表示されたプライミング開始ボタン（プライミング開始スイッチ）を押す。
【０１２６】
図３に示すように、制御手段５５は、プライミング開始ボタンが押されたか否かを判断し（ステップＳ１０１）、プライミング開始ボタンが押された場合には、プライミング工程（プライミング動作）が開始される。このプライミング動作は、血液ポンプ１１および抗凝固剤ポンプ１２を作動させて行われ、気泡センサ３６および３７が抗凝固剤（液体）を検出するまで実行される。
【０１２７】
すなわち、プライミング工程では、まず、抗凝固剤ポンプ１２を正方向に回転（正転）させ（回転開始）、また、遠心分離器駆動装置１０を作動し、ローター１４２を回転させる（回転開始）（ステップＳ１０２）。そして、血液ポンプ１１を正方向に回転（正転）させる（回転開始）（ステップＳ１０２）。
【０１２８】
次いで、圧力センサ１８により、クレンメ９３から遠心分離器２０側の中空針側ライン２１ａ内の圧力を検出し、チューブ６２に接続されている図示しない圧力センサにより遠心分離器２０の内圧（システム圧力）を検出し、これらの検出値に基づいて、流路検査（例えば、回路内の流路の閉塞等の検査）を行なう（ステップＳ１０３）。なお、このステップＳ１０３の後、遠心分離器駆動装置１０を所定のタイミングで停止する。
【０１２９】
前記血液ポンプ１１および抗凝固剤ポンプ１２の回転により、抗凝固剤注入ライン２３から分岐コネクタ２１ｃを経て中空針側ライン２１ａの遠心分離器２０側に向けて抗凝固剤が供給（送液）される。
【０１３０】
次いで、気泡センサ３６および３７が抗凝固剤（液体）を検出したか否かを判断し（ステップＳ１０４）、気泡センサ３６および３７が抗凝固剤を検出した場合には、プライミングが完了する。
【０１３１】
これにより、抗凝固剤注入ライン２３、分岐コネクタ２１ｃおよび分岐コネクタ２１ｃより遠心分離器２０側の中空針側ライン２１ａの流路内の空気が、チャンバー２１ｄ内および中空針側ライン２１ａのチャンバー２１ｄ以降の流路内に移送され、これら抗凝固剤注入ライン２３、分岐コネクタ２１ｃおよび中空針側ライン２１ａの分岐コネクタ２１ｃからチャンバー２１ｄまでの流路内が、抗凝固剤で満たされる。
【０１３２】
次いで（プライミング動作を実行した後）、圧力センサ１８により検出された圧力が目標範囲内の値となるように、血液ポンプ１１と抗凝固剤ポンプ１２とのいずれかを作動させてクレンメ９３から遠心分離器２０側の中空針側ライン２１ａ内の圧力調整（第１の圧力調整）を行う。なお、この圧力調整は、血液ポンプ１１および抗凝固剤ポンプ１２を作動させて行ってもよいことは言うまでもない。
【０１３３】
すなわち、圧力センサ１８により、クレンメ９３から遠心分離器２０側の中空針側ライン２１ａ内の圧力を検出し、その検出値が、目標範囲の上限値より大きいか否かを判断する（ステップＳ１０５）。
【０１３４】
この場合、前記目標範囲を大気圧±ａとしたとき、前記ａは、０〜２０ｍｍＨｇ程度とするのが好ましく、０〜５ｍｍＨｇ程度とするのがより好ましい。
【０１３５】
ステップＳ１０５において、圧力センサ１８の圧力の検出値が、目標範囲の上限値より大きい場合（ステップＳ１０５で「ＹＥＳ」）は、血液ポンプ１１の正方向への回転（正転）を継続し、抗凝固剤ポンプ１２を停止する（ステップＳ１０６）。これにより、中空針側ライン２１ａ内の圧力が減少してゆく。
【０１３６】
次いで、圧力センサ１８により、クレンメ９３から遠心分離器２０側の中空針側ライン２１ａ内の圧力を検出し、その検出値が、目標範囲内の値か否かを判断し（ステップＳ１０７）、圧力センサ１８の圧力の検出値が、目標範囲内の値の場合は、ステップＳ１１１のプライミング終了処理へ移行する。
【０１３７】
一方、ステップＳ１０５において、圧力センサ１８の圧力の検出値が、目標範囲の上限値以下の場合（ステップＳ１０５で「ＮＯ」）は、圧力センサ１８の圧力の検出値が、目標範囲の下限値より小さいか否かを判断する（ステップＳ１０８）、圧力センサ１８の圧力の検出値が、目標範囲の下限値以上の場合（ステップＳ１０５で「ＮＯ」）、すなわち、圧力センサ１８の圧力の検出値が、目標範囲内の値の場合は、ステップＳ１１１のプライミング終了処理へ移行する。
【０１３８】
また、ステップＳ１０８において、圧力センサ１８の圧力の検出値が、目標範囲の下限値より小さい場合（ステップＳ１０８で「ＹＥＳ」）は、抗凝固剤ポンプ１２の正方向への回転（正転）を継続し、血液ポンプ１１を停止する（ステップＳ１０９）。これにより、中空針側ライン２１ａ内の圧力が増大してゆく。
【０１３９】
次いで、圧力センサ１８により、クレンメ９３から遠心分離器２０側の中空針側ライン２１ａ内の圧力を検出し、その検出値が、目標範囲内の値か否かを判断し（ステップＳ１１０）、圧力センサ１８の圧力の検出値が、目標範囲内の値の場合は、ステップＳ１１１のプライミング終了処理へ移行する。
【０１４０】
ステップＳ１１１では、回転中の血液ポンプ１１または抗凝固剤ポンプ１２を停止し、プライミング工程を終了し、圧力監視工程へ移行する。前記圧力調整（第１の圧力調整）後の圧力センサ１８の圧力の検出値を、圧力監視工程における圧力調整（第２の圧力調整）の目標値とする。
【０１４１】
図４に示すように、圧力監視工程では、まず、タッチパネル１９に、抗凝固剤送液ボタン（抗凝固剤送液スイッチ）等を有する穿刺・初流・抗凝固剤送液画面を表示する（ステップＳ２０１）。
【０１４２】
一方、オペレーターは、中空針２９１をドナーの血管に穿刺し、クレンメ９２を開く。
これにより、ドナーから中空針２９１により採取された血液の初流（採血初流）は、ドナーの静脈圧や落差（自重）により、その中空針２９１、中空針側ライン２１ａ、分岐コネクタ２１ｅ、初流採取ライン２７を流れ、初流採取バッグ８１内に導入（採取）される。
【０１４３】
次いで、オペレーターは、採血初流を初流採取バッグ８１に所定量（目標量）採取すると（血液の液面が初流採取バッグ８１の標線と一致したことを確認すると）、クレンメ９２を閉じて、初流採取操作を終了する。
【０１４４】
この初流採取操作により、中空針２９１、中空針２９１から分岐コネクタ２１ｅまでの中空針側ライン２１ａ、分岐コネクタ２１ｅおよび初流採取ライン２７の流路内の空気が、初流採取バッグ６１内に移送され、これら中空針２９１、中空針２９１から分岐コネクタ２１ｅまでの中空針側ライン２１ａ、分岐コネクタ２１ｅおよび初流採取ライン２７の流路内が、採血初流で満たされる。
【０１４５】
このように、前記プライミング動作と初流採取操作とを実行した後は、中空針側ライン２１ａの分岐コネクタ２１ｃから分岐コネクタ２１ｅまでの流路内の空気（分岐コネクタ２１ｃと分岐コネクタ２１ｅとの間の中空針側ライン２１ａの流路内の空気）が移送されることなく、その場に留まり、中空針側ライン２１ａの流路内の抗凝固剤と採血初流との間に空気が介在した状態になる。すなわち、中空針側ライン２１ａの流路内の抗凝固剤と採血初流との間には、空気層が形成される。換言すれば、空気層は、プライミング動作の際に、中空針側ライン２１ａの分岐コネクタ２１ｃと分岐コネクタ２１ｅとの間の流路内に、抗凝固剤を満了充填しないことにより形成される。
【０１４６】
なお、プライミングが完了した状態において、中空針側ライン２１ａの流路内の抗凝固剤と空気層との気液分離面（境界）は、分岐コネクタ２１ｃの分岐中心（中心部）よりも若干分岐コネクタ２１ｅ側、すなわち、分岐コネクタ２１ｃの分岐中心と分岐コネクタ２１ｅの分岐中心との間であって、分岐コネクタ２１ｃの分岐中心の近傍に位置する。また、初流採取操作が完了した状態において、中空針側ライン２１ａの流路内の採血初流（血液）と空気層との気液分離面（境界）は、分岐コネクタ２１ｅの分岐中心（中心部）よりも若干分岐コネクタ２１ｃ側、すなわち、分岐コネクタ２１ｃの分岐中心と分岐コネクタ２１ｅの分岐中心との間であって、分岐コネクタ２１ｅの分岐中心の近傍に位置する。
【０１４７】
この空気層により、採血初流と抗凝固剤との接触が阻止され、採血初流への抗凝固剤の混入を防止できるので、初流採取バッグ８１に貯留された採血初流を検査用の血液として用いることができる。同時に、抗凝固剤への採血初流の混入を防止できるので、血漿採取バッグ２５に採取される血漿（血漿製剤や原料血漿）に細菌が混入することを防止することができる。
【０１４８】
次いで、オペレーターは、クレンメ９３を開き、タッチパネル１９に表示された抗凝固剤送液ボタン（抗凝固剤送液スイッチ）を押す。これにより、後述する抗凝固剤送液工程（抗凝固剤送液動作）が行なわれる。
【０１４９】
ここで、クレンメ９３が開き、分岐コネクタ２１ｅと分岐コネクタ２１ｃとの間の中空針側ライン２１ａの流路が開放すると、中空針２９１が穿刺されたドナーの腕と、初流採取ライン２７に接続されている初流採取バッグ８１との位置関係等によっては、分岐コネクタ２１ｅと分岐コネクタ２１ｃとの間に位置していた空気層が、遠心分離器２０側（分岐コネクタ２１ｃ側）または初流採取バッグ８１側（初流採取ライン２７側）（分岐コネクタ２１ｅ側）に移動することがある。
【０１５０】
例えば、プライミング工程が終了した後、初流採取バッグ８１を高い位置に移動すると、空気層は、遠心分離器２０側に移動し、この場合は、圧力センサ１８の圧力の検出値（クレンメ９３から遠心分離器２０側の中空針側ライン２１ａ内の圧力）は、前記プライミング工程における圧力調整（第１の圧力調整）後の圧力センサ１８の圧力の検出値（目標値）に比べて、高くなる。逆に、初流採取バッグ８１を低い位置に移動すると、空気層は、初流採取バッグ８１側に移動し、この場合は、圧力センサ１８の圧力の検出値は、前記プライミング工程における圧力調整後の圧力センサ１８の圧力の検出値（目標値）に比べて、低くなる。
【０１５１】
この圧力監視工程では、前記プライミング工程における圧力調整（第１の圧力調整）後の圧力センサ１８の圧力の検出値を、圧力監視工程における圧力調整（第２の圧力調整）の目標値とし、その目標値に対して許容範囲を設定する。前記許容範囲を目標値±αとしたとき、前記αは、０〜２０ｍｍＨｇ程度とするのが好ましく、０〜５ｍｍＨｇ程度とするのがより好ましい。
【０１５２】
そして、プライミング動作および初流採取操作の実行後、クレンメ９３を開いて分岐コネクタ２１ｃと分岐コネクタ２１ｅとの間の中空針側ライン２１ａの流路を開放した際、圧力センサ１８により検出された圧力が前記許容範囲内の値となるように、血液ポンプ１１を作動させて中空針側ライン２１ａ内の圧力調整（第２の圧力調整）を行って、空気層を目標位置（例えば、クレンメ９３を開く前の位置）に位置させる。
【０１５３】
すなわち、圧力監視工程では、圧力センサ１８により、クレンメ９３から遠心分離器２０側の中空針側ライン２１ａ内の圧力を検出し、その検出値が、目標値＋α（許容範囲の上限値）より大きいか否かを判断する（ステップＳ２０２）。
【０１５４】
ステップＳ２０２において、圧力センサ１８の圧力の検出値が、目標値＋αより大きい場合（ステップＳ２０２で「ＹＥＳ」）は、血液ポンプ１１を正方向に回転（正転）させて、中空針側ライン２１ａ内の圧力を、減少させ、目標値にし（ステップＳ２０３）、ステップＳ２０２に戻り、再度、ステップＳ２０２以降を実行する。
【０１５５】
一方、ステップＳ２０２において、圧力センサ１８の圧力の検出値が、目標値＋α以下の場合（ステップＳ２０２で「ＮＯ」）は、圧力センサ１８の圧力の検出値が、目標値−α（許容範囲の下限値）より小さいか否かを判断する（ステップＳ２０４）。
【０１５６】
ステップＳ２０４において、圧力センサ１８の圧力の検出値が、目標値−αより小さい場合（ステップＳ２０４で「ＹＥＳ」）は、血液ポンプ１１を逆方向に回転（逆転）させて、中空針側ライン２１ａ内の圧力を、増大させ、目標値にし（ステップＳ２０５）、ステップＳ２０２に戻り、再度、ステップＳ２０２以降を実行する。
【０１５７】
一方、ステップＳ２０４において、圧力センサ１８の圧力の検出値が、目標値−α以上の場合（ステップＳ２０４で「ＮＯ」）、すなわち、圧力センサ１８の圧力の検出値が、目標値±α以内（許容範囲内）の場合は、タッチパネル１９に表示されたプライミング開始ボタン（プライミング開始スイッチ）が押されたか否かを判断する（ステップＳ２０６）。
【０１５８】
ステップＳ２０６において、プライミング開始ボタンが押されない場合は、ステップＳ２０２に戻り、再度、ステップＳ２０２以降を実行する。すなわち、プライミング開始ボタンが押されるまで、前記圧力調整を継続する。
【０１５９】
一方、ステップＳ２０６において、プライミング開始ボタンが押された場合は、圧力監視工程を終了し（ステップＳ２０７）、抗凝固剤送液工程へ移行する。
【０１６０】
図５に示すように、抗凝固剤送液工程では、まず、タッチパネル１９に、抗凝固剤送液中画面を表示する（ステップＳ３０１）。
【０１６１】
次いで、抗凝固剤ポンプ１２を作動させて、抗凝固剤注入ライン２３から分岐コネクタ２１ｃおよび分岐コネクタ２１ｅを経て初流採取ライン２７に向けて抗凝固剤を供給（送液）する抗凝固剤送液動作を実行して、空気層を中空針側ライン２１ａから初流採取ライン２７に移送する。この抗凝固剤供給動作は、空気層が初流採取バッグ８５内に流入せず、かつ、抗凝固剤が初流採取ライン２７に流入するまで実行される。
【０１６２】
これにより、抗凝固剤は、分岐コネクタ２１ｃから、中空針側ライン２１ａ、分岐コネクタ２１ｅ、初流採取ライン２７を流れ（初流採取ライン２７に供給され）、これによって、抗凝固剤注入ライン２３と、中空針側ライン２１ａの分岐コネクタ２１ｃから分岐コネクタ２１ｅまでと、初流採取ライン２７の分岐コネクタ２１ｅからその途中までの流路内が、抗凝固剤で満たされる（洗浄される）。すなわち、空気層が、中空針側ライン２１ａ、分岐コネクタ２１ｃおよび分岐コネクタ２１ｅから除去されるとともに、分岐コネクタ２１ｅおよび初流採取ライン２７の分岐コネクタ２１ｅの近傍に、抗凝固剤を含まない血液が停滞し、その血液が凝固してしまうのを防止することができる。これにより、ドナーの負担を増大させることなく、安全かつ確実に、成分採血を行うことができる。
【０１６３】
具体的には、前記ステップＳ３０１の後、抗凝固剤ポンプ１２を正方向に回転（正転）させ（回転開始）る（ステップＳ３０２）。
【０１６４】
この場合、クレンメ９３が開いていれば、前記抗凝固剤ポンプ１２の回転により、抗凝固剤注入ライン２３から分岐コネクタ２１ｃおよび分岐コネクタ２１ｅを経て初流採取ライン２７に向けて抗凝固剤が供給（送液）されるが、クレンメ９３が閉じていると、前記抗凝固剤ポンプ１２の回転により、クレンメ９３から遠心分離器２０側の中空針側ライン２１ａ内の圧力が増大する。
【０１６５】
次いで、圧力センサ１８により、クレンメ９３から遠心分離器２０側の中空針側ライン２１ａ内の圧力を検出し、その検出値が、所定値（例えば、大気圧＋２５ｍｍＨｇ）以上であるか否かを判断する（ステップＳ３０３）。
【０１６６】
ステップＳ３０３において、圧力センサ１８の圧力の検出値が、前記所定値以上の場合（ステップＳ３０３で「ＹＥＳ」）は、クレンメ９３により分岐コネクタ２１ｃと分岐コネクタ２１ｅとの間の中空針側ライン２１ａの流路が閉塞されていると判別し、抗凝固剤ポンプ１２を停止し、血液ポンプ１１を正方向に回転（正転）させて、中空針側ライン２１ａ内の圧力を、減少させ、目標値にする（ステップＳ３０４）。
【０１６７】
次いで、タッチパネル１９に、対処方法指示画面を表示する（ステップＳ３０５）。
この対処方法指示画面には、例えば、抗凝固剤送液再開ボタン（抗凝固剤送液再開スイッチ）と、「クレンメ９３が閉じているので、そのクレンメ９３を開いて、抗凝固剤送液再開ボタンを押す」という判別結果、警告、指示等が表示される。
【０１６８】
オペレーターは、クレンメ９３を開き、タッチパネル１９に表示された抗凝固剤送液再開ボタンを押す。
【０１６９】
次いで、抗凝固剤送液再開ボタンが押されたか否かを判断し（ステップＳ３０６）、抗凝固剤送液再開ボタンが押された場合には、ステップＳ３０１に戻り、再度、ステップＳ３０１以降を実行する。すなわち、再度、タッチパネル１９に、抗凝固剤送液中画面を表示し、抗凝固剤供給動作を実行する。
【０１７０】
一方、ステップＳ３０３において、圧力センサ１８の圧力の検出値が、前記所定値より小さい場合（ステップＳ３０３で「ＮＯ」）は、クレンメ９３が開いており、分岐コネクタ２１ｃと分岐コネクタ２１ｅとの間の中空針側ライン２１ａの流路が開放していると判別し、抗凝固剤の送液量が所定値に到達したか否かを判断する（ステップＳ３０７）。
【０１７１】
このステップＳ３０７においては、例えば、抗凝固剤ポンプ１２の回数回転が所定回数に到達すると、抗凝固剤の送液量が所定値に到達したと判断する方法と、圧力センサ１８の圧力の検出値が所定圧力に到達すると、抗凝固剤の送液量が所定値に到達したと判断する方法等がある。
【０１７２】
ステップＳ３０７において、抗凝固剤の送液量が所定値に到達していない場合は、ステップＳ３０３に戻り、再度、ステップＳ３０３以降を実行する。
【０１７３】
一方、ステップＳ３０７において、抗凝固剤の送液量が所定値に到達した場合は、抗凝固剤ポンプ１２を停止し、抗凝固剤送液工程を終了し（ステップＳ３０８）、本採血へ移行する。
【０１７４】
オペレーターは、クレンメ９１を閉じる。
なお、本工程は、例えば、オペレーターが手動で抗凝固剤ポンプ１２を回転させて行ってもよい。
【０１７５】
次いで、オペレーターは、クレンメ９２を開き、前述したように、タッチパネル１９に表示された採血開始ボタンを押す。これにより、本採血、すなわち、前述した第１サイクルの血漿採取操作が開始される。なお、本採血の説明は、既になされているので、省略する。
【０１７６】
以上説明したように、この血液成分採取装置１によれば、初流採取ライン２７を有しているので、採血の際、容易に、ドナーから採取された血液から、細菌感染の確率の高い初流（採血初流）を除去することができ、これにより、採取された血漿への細菌の混入が抑制され、患者に血漿を輸血する際の安全性が向上する。また、前記除去した採血初流を初流採取バッグ８１内に貯留することができる。
【０１７７】
また、プライミング動作と初流採取操作とを実行した後に、中空針側ライン２１ａの流路内の採血初流（血液）と抗凝固剤との間に、空気（空気層）が形成される（空気が介在する）ので、この空気層により採血初流と抗凝固剤との接触が阻止され、採血初流への抗凝固剤の混入を防止することができ、これによって、初流採取バッグ８１に採取された採血初流を検査用の血液として用いることができる。さらに、空気層により採血初流と抗凝固剤との接触が阻止され、抗凝固剤への採血初流の混入を防止することができ、これによって、血漿採取バッグ２５に採取される血漿に細菌が混入するのを防止することができる。
【０１７８】
そして、特に、プライミング動作および初流採取操作の実行後、クレンメ９３を開いて、分岐コネクタ２１ｅと分岐コネクタ２１ｃとの間の中空針側ライン２１ａの流路を開放した際、空気層を目標位置（例えば、クレンメ９３を開く前の位置）に位置させるので、「発明が解決しようとする課題」で述べた課題を解決することができる。すなわち、初流採取バッグ８１に採取された採血初流への抗凝固剤の混入を防止することができ、これによって、初流採取バッグ８１に採取された採血初流を検査用の血液として用いることができる。さらに、血漿採取バッグ２５に採取される血漿への細菌の混入が抑制され、安全性が向上する。
【０１７９】
また、この血液成分採取装置１では、所定量の採血初流が除去（採取）された後に、抗凝固剤が、抗凝固剤注入ライン２３、分岐コネクタ２１ｃおよび分岐コネクタ２１ｅを経て、初流採取ライン２７に供給されるので、分岐コネクタ２１ｅおよび初流採取ライン２７の分岐コネクタ２１ｅの近傍に、抗凝固剤を含まない血液が停滞し、その血液が凝固してしまうのを抑制することができ、ドナーの負担を増大させることなく、安全かつ確実に、成分採血を行なうことができる。
【０１８０】
＜第２実施形態＞
次に、本発明の血液成分採取装置の第２実施形態について説明する。
【０１８１】
図６は、本発明の血液成分採取装置の第２実施形態の作用を説明するためのフローチャート（制御手段５５の制御動作を示すフローチャート）であって、圧力監視工程における制御手段５５の制御動作が示されている。
【０１８２】
以下、第２実施形態の血液成分採取装置１について、前述した第１実施形態との相違点を中心に説明し、同様の事項については、その説明を省略する。
【０１８３】
第２実施形態の血液成分採取装置１は、圧力監視工程が異なっていること以外は、前述した第１実施形態と同様である。
【０１８４】
概要は、第２実施形態の血液成分採取装置１は、プライミング動作および初流採取操作の実行後、クレンメ９３を開いて、分岐コネクタ２１ｅと分岐コネクタ２１ｃとの間の中空針側ライン２１ａの流路を開放した際、空気層が移動したことが推定（検知）された場合、タッチパネル１９に、空気層が移動した旨や、空気層の移動方向に応じた対処方法を表示するように構成されている。
【０１８５】
すなわち、図６に示すように、第２実施形態の血液成分採取装置１における圧力監視工程では、まず、タッチパネル１９に、抗凝固剤送液ボタン（抗凝固剤送液スイッチ）等を有する穿刺・初流・抗凝固剤送液画面を表示する（ステップＳ４０１）。
【０１８６】
一方、オペレーターは、中空針２９１をドナーの血管に穿刺し、クレンメ９２を開く。
これにより、ドナーから中空針２９１により採取された血液の初流（採血初流）は、ドナーの静脈圧や落差（自重）により、その中空針２９１、中空針側ライン２１ａ、分岐コネクタ２１ｅ、初流採取ライン２７を流れ、初流採取バッグ８１内に導入（採取）される。
【０１８７】
次いで、オペレーターは、採血初流を初流採取バッグ８１に所定量（目標量）採取すると（血液の液面が初流採取バッグ８１の標線と一致したことを確認すると）、クレンメ９２を閉じて、初流採取操作を終了する。
【０１８８】
次いで、オペレーターは、クレンメ９３を開き、タッチパネル１９に表示された抗凝固剤送液ボタン（抗凝固剤送液スイッチ）を押す。これにより、後述する抗凝固剤送液工程（抗凝固剤送液動作）が行なわれる。
【０１８９】
また、圧力監視工程では、圧力センサ１８により、クレンメ９３から遠心分離器２０側の中空針側ライン２１ａ内の圧力を検出し、その検出値が、目標値＋α（許容範囲の上限値）より大きいか否かを判断する（ステップＳ４０２）。
【０１９０】
ステップＳ４０２において、圧力センサ１８の圧力の検出値が、目標値＋αより大きい場合（ステップＳ４０２で「ＹＥＳ」）は、タッチパネル１９に、対処方法指示画面を表示する（ステップＳ４０３）。
【０１９１】
この対処方法指示画面には、例えば、空気層が移動した旨と、空気層の移動方向と、「初流採取バッグ８１の位置を鉛直方向下側（下方）に移動させる」という空気層の移動方向に応じた対処方法等が表示される。
【０１９２】
オペレーターは、タッチパネル１９に表示された対処方法を実行する。これにより、空気層は、目標位置に向って移動する。
【０１９３】
次いで、圧力センサ１８により、クレンメ９３から遠心分離器２０側の中空針側ライン２１ａ内の圧力を検出し、その検出値が、目標値±α以内（許容範囲内）の値であるか否かを判断する（ステップＳ４０４）。
【０１９４】
ステップＳ４０４において、圧力センサ１８の圧力の検出値が、目標値±α以内ではない場合は、ステップＳ４０３に戻り、再度、ステップＳ４０３以降を実行する。
【０１９５】
また、ステップＳ４０４において、圧力センサ１８の圧力の検出値が、目標値±α以内の場合は、ステップＳ４０１に戻り、再度、ステップＳ４０１以降を実行する。
【０１９６】
一方、ステップＳ４０２において、圧力センサ１８の圧力の検出値が、目標値＋α以下の場合（ステップＳ４０２で「ＮＯ」）は、圧力センサ１８の圧力の検出値が、目標値−α（許容範囲の下限値）より小さいか否かを判断する（ステップＳ４０５）。
【０１９７】
ステップＳ４０５において、圧力センサ１８の圧力の検出値が、目標値−αより小さい場合（ステップＳ４０５で「ＹＥＳ」）は、タッチパネル１９に、対処方法指示画面を表示する（ステップＳ４０６）。
【０１９８】
この対処方法指示画面には、例えば、空気層が移動した旨と、空気層の移動方向と、「初流採取バッグ８１の位置を鉛直方向上側（上方）に移動させる」という空気層の移動方向に応じた対処方法等が表示される。
【０１９９】
オペレーターは、タッチパネル１９に表示された対処方法を実行する。これにより、空気層は、目標位置に向って移動する。
【０２００】
次いで、圧力センサ１８により、クレンメ９３から遠心分離器２０側の中空針側ライン２１ａ内の圧力を検出し、その検出値が、目標値±α以内（許容範囲内）の値であるか否かを判断する（ステップＳ４０７）。
【０２０１】
ステップＳ４０７において、圧力センサ１８の圧力の検出値が、目標値±α以内ではない場合は、ステップＳ４０６に戻り、再度、ステップＳ４０６以降を実行する。
【０２０２】
また、ステップＳ４０７において、圧力センサ１８の圧力の検出値が、目標値±α以内の場合は、ステップＳ４０１に戻り、再度、ステップＳ４０１以降を実行する。
【０２０３】
一方、ステップＳ４０５において、圧力センサ１８の圧力の検出値が、目標値−α以上の場合（ステップＳ４０５で「ＮＯ」）、すなわち、圧力センサ１８の圧力の検出値が、目標値±α以内（許容範囲内）の場合は、タッチパネル１９に表示されたプライミング開始ボタン（プライミング開始スイッチ）が押されたか否かを判断する（ステップＳ４０８）。
【０２０４】
ステップＳ４０８において、プライミング開始ボタンが押されない場合は、ステップＳ４０２に戻り、再度、ステップＳ４０２以降を実行する。
【０２０５】
一方、ステップＳ４０８において、プライミング開始ボタンが押された場合は、圧力監視工程を終了し（ステップＳ４０９）、抗凝固剤送液工程へ移行する。
この血液成分採取装置１によれば、前述した第１実施形態と同様の効果が得られる。
【０２０６】
＜第３実施形態＞
次に、本発明の血液成分採取装置の第３実施形態について説明する。
【０２０７】
以下、第３実施形態の血液成分採取装置１について、前述した第１実施形態との相違点を中心に説明し、同様の事項については、その説明を省略する。
【０２０８】
第３実施形態の血液成分採取装置１は、プライミング動作および初流採取操作の実行後、クレンメ９３を開いて、分岐コネクタ２１ｅと分岐コネクタ２１ｃとの間の中空針側ライン２１ａの流路を開放した際、圧力センサ１８の圧力の検出値（圧力センサ１８により検出された圧力）が、減少して、所定のしきい値以下になった場合は、その圧力の変動により、抗凝固剤注入ライン２３から分岐コネクタ２１ｃおよび分岐コネクタｅを経て初流採取ライン２７に向けて抗凝固剤が供給され、空気層が中空針側ライン２１ａから初流採取ライン２７に移送されたものと推定し、抗凝固剤送液動作を行わないように構成されている。これにより、抗凝固剤送液動作を実行した場合と同等の効果を得つつ、成分採血に要する時間を短縮することができる。
【０２０９】
前記しきい値は、抗凝固剤送液動作を実行して空気層を移動させる予定の位置（予定位置）に、空気層が位置しているときのクレンメ９３から遠心分離器２０側の中空針側ライン２１ａ内の圧力（圧力値）に設定されるのが好ましい。
【０２１０】
具体的には、前記しきい値は、初流採取ライン２７、分岐コネクタ２１ｅと分岐コネクタ２１ｃとの間の中空針側ライン２１ａの長さ、内径等の各部の寸法や諸条件に応じて適宜設定されるが、例えば、大気圧〜大気圧−２０ｍｍＨｇ程度とするのが好ましく、大気圧〜大気圧−５ｍｍＨｇ程度とするのがより好ましい。
【０２１１】
この血液成分採取装置１によれば、前述した第１実施形態と同様の効果が得られる。
以上、本発明の血液成分採取装置を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０２１２】
また、本発明は、前記各実施形態のうちの、任意の２以上の構成（特徴）を組み合わせたものであってもよい。
【０２１３】
また、本発明は、血漿製剤（または血漿分画製剤の原料血漿）を得るのに適用する場合に限らず、例えば、血液中から、血小板製剤、赤血球製剤、白血球製剤等を得る場合に適用してもよい。すなわち、本発明では、血液成分採取バッグに採取される血液成分は、血漿に限らず、例えば、血小板（血漿を含む血小板）、赤血球（血漿を含む赤血球）、白血球（血漿を含む白血球）等であってもよい。
【０２１４】
また、本発明は、血液成分採取バッグを複数有し、複数の血液成分を採取し得るように構成されていてもよい。
【０２１５】
また、上述した実施形態では、採血ラインおよび返血ラインが一体となったいわゆる間歇式（一針式または片腕式とも呼ばれる）の血液成分採取装置に本発明を適用した場合について説明したが、本発明は、この方式のものに限らず、例えば、採血ラインと返血ラインとが別個に設けられたいわゆる連続式（二針式または両腕式とも呼ばれる）の血液成分採取装置にも適用することができる。
【０２１６】
また、本発明は、所定の血液成分を採取して、残りの血液成分をドナーに返還しない血液成分採取装置に適用することもできる。
【０２１７】
また、本発明では、光学式センサは、図示のものに限定されず、例えば、ラインセンサ等であってもよい。
【０２１８】
また、本発明では、血液分離器は、遠心型のものに限定されず、例えば、膜型等のものであってもよい。
【図面の簡単な説明】
【０２１９】
【図１】本発明の血液成分採取装置を、主に血漿を採取する血液成分採取装置に適用した場合の第１実施形態を示す平面図（一部にブロック図を含む）である。
【図２】図１に示す血液成分採取装置が備える遠心分離器に遠心分離器駆動装置が装着された状態の部分破断断面図である。
【図３】図１に示す血液成分採取装置の作用を説明するためのフローチャートである。
【図４】図１に示す血液成分採取装置の作用を説明するためのフローチャートである。
【図５】図１に示す血液成分採取装置の作用を説明するためのフローチャートである。
【図６】本発明の血液成分採取装置の第２実施形態の作用を説明するためのフローチャートである。
【符号の説明】
【０２２０】
１              血液成分採取装置
２              血液成分採取回路
１０            遠心分離器駆動装置
１１            血液ポンプ
１２            抗凝固剤ポンプ
１４            濁度センサ
１５            光学式センサ
１５１          投光部
１５２          受光部
１５３          反射板
１６            重量センサ
１７            第１の気泡センサ
１８            圧力センサ
１９            タッチパネル
２０            遠心分離器
２１            採血・返血ライン
２１ａ          中空針側ライン
２１ｂ          遠心分離器側ライン
２１ｃ          分岐コネクタ
２１ｄ          チャンバー
２１ｅ          分岐コネクタ
２１ｇ          ポンプチューブ
２１ｈ          チューブ
２１ｉ          フィルター
２２            採取バッグ側ライン
２３            抗凝固剤注入ライン
２３ａ          ポンプチューブ
２３ｃ          気泡除去用チャンバー
２３ｄ          抗凝固剤溶器接続用針
２４            エアーバッグ側ライン
２５            血漿採取バッグ
２６            エアーバッグ
２７            初流採取ライン
２９１          中空針
２９２          翼
３２            サブバッグ
３２ａ          チューブ
３４            第２の気泡センサ
３５            第３の気泡センサ
３６            第４の気泡センサ
３７            第５の気泡センサ
５１、５２      流路開閉手段
５５            制御手段
６１            分岐コネクタ
６２            チューブ
６３            フィルター
６４            除菌フィルター
８１            初流採取バッグ
８３            針管
８４            被包部材
８５            ホルダー
８６            キャップ
９１〜９３      クレンメ
１３１          血漿層
１３２          血球層
１４１          管体
１４２          ローター
１４３          流入口
１４４          流出口
１４５          上部
１４６          貯血空間
１４７          反射面
２０１          ハウジング
２０２          脚部
２０３          モータ
２０４          回転軸
２０５          固定台
２０６          ボルト
２０７          スペーサー
Ｓ１０１〜Ｓ１１１  ステップ
Ｓ２０１〜Ｓ２０７  ステップ
Ｓ３０１〜Ｓ３０８  ステップ
Ｓ４０１〜Ｓ４０９  ステップ
【図１】
2008125552.tif 000003
【図２】
2008125552.tif 000004
【図３】
2008125552.tif 000005
【図４】
2008125552.tif 000006
【図５】
2008125552.tif 000007
【図６】
2008125552.tif 000008